(57)【要約】【課題】奥行きが薄く、維持費等の少ない内照式電飾看板の提供を目的とする。【解決手段】複数のＬＥＤ発光体を取り付けた基盤の上に、それぞれ所定の間隙を設けて、反射板と拡散板と広告部材とをこの順で配設し、反射板は発光体貫通孔を備えており貫通孔から拡散板側に向けて発光体の頭部が突出するように配設する。【選択図】  図１
0003111676.tif 000002
【実用新案登録請求の範囲】
【請求項１】
複数のＬＥＤ発光体を取り付けた基盤の上に、それぞれ所定の間隙を設けて、反射板と拡散板と広告部材とをこの順で配設し、反射板は発光体貫通孔を備えており貫通孔から拡散板側に向けて発光体の頭部が突出するように配設してあることを特徴とする内照式電飾看板。
【請求項２】
基盤の裏側に絶縁フィルムを配設したことを特徴とする請求項１記載の内照式電飾看板。
【考案の詳細な説明】
【技術分野】
【０００１】
本考案は、広告媒体である看板に関し、特に内照式電飾看板に係る。
【背景技術】
【０００２】
従来の内照式電飾看板１０Ｂは図５に示すように、看板ケース３０Ｂの開口部に広告部材４０Ｂを配設し、内部に蛍光灯２０Ｂを有していた。蛍光灯２０Ｂは消費電力が大きく、また球切れ及び破損し易いので、維持費及び修理費が嵩む原因であった。
また、蛍光灯２０Ｂの発熱が広告部材４０Ｂに変色を来たす恐れと、広告部材４０Ｂに蛍光灯２０Ｂが透けて見えるシースルー現象と、蛍光灯２０Ｂ輝度による広告部材４０Ｂ面照度の明暗差ばらつきと、を防ぐために蛍光灯２０Ｂと広告部材４０Ｂとにある程度の距離を確保しなければならなかった。それは、内照式電飾看板１０Ｂの奥行きｄＢを厚くしなければならないと言う問題であった。一般的な従来内照式電飾看板１０Ｂの奥行きｄＢは３００ｍｍ〜５００ｍｍである。
従来広告部材４０Ｂは、外部からの汚れを防止するための透明アクリル系樹脂と、シースルー現象を防ぎつつ蛍光灯２０Ｂによる広告部面照度を均一にするための乳白色アクリル系樹脂とで広告を印刷したコルトンフィルムを挟むのが一般的であった。
【０００３】
特開２００３−２９６７３号、特開２００４−９４１８６号公報には内照式電飾看板の奥行きを薄くする技術を開示するが、蛍光灯を使用するので薄型化に限界があり、広告面積の大型化ができない。。
【特許文献１】特開２００３−２９６７３号公報
【特許文献２】特開２００４−９４１８６号公報
【考案の開示】
【考案が解決しようとする課題】
【０００４】
本考案は、奥行きが薄く、維持費等の少ない内照式電飾看板の提供を目的とする。
【課題を解決するための手段】
【０００５】
本考案の技術的要旨は、複数のＬＥＤ発光体を取り付けた基盤の上に、それぞれ所定の間隙を設けて、反射板と拡散板と広告部材とをこの順で配設し、反射板は発光体貫通孔を備えており貫通孔から拡散板側に向けて発光体の頭部が突出するように配設してあることを特徴とする点である。
複数のＬＥＤ発光体を取り付けた基盤の上に配置する反射板の貫通孔から発光体頭部が拡散板側に向けて突出することにより、反射板が発光体頭部よりも基盤に近づく。
ここでＬＥＤ発光体とは白色発光ダイオードを言う。
白色発光ダイオードは発熱量が少ないので、コルトンフィルム等の広告部材と拡散板との間隙も少なくとれて看板が薄くなる。
【０００６】
請求項２記載の考案は、基盤の裏側に絶縁フィルムを配設したことを特徴とする点である。
基盤の裏側に絶縁フィルムを配設したことにより基盤からの漏電を防げるので、基盤と看板ケースとに間隙を設ける必要がなくなる。
【考案の効果】
【０００７】
複数のＬＥＤ発光体を取り付けた基盤の上に、それぞれ所定の間隙を設けて、反射板と拡散板と広告部材とをこの順で配設し、反射板は発光体貫通孔を備えており貫通孔から拡散板側に向けて発光体の頭部が突出するように配設してあることにより、反射板が発光体頭部よりも基盤に近づくので、内照式電飾看板の輝度を向上させつつ奥行きを薄くできる。
ＬＥＤ発光体は発熱量が少なく、基盤上に縦横マス目状に多く配設することができ、看板の広告面積の大型化が可能である。
また、基盤の裏側に絶縁フィルムを配設したことにより、基盤と看板ケースとに間隙を設ける必要がなくなるので、より奥行きを薄くできる。
一般的照明用ＬＥＤ発光体の寿命は約４万〜６万時間であり一般的蛍光灯の寿命は約６千時間であるので、照明用ＬＥＤ発光体は蛍光灯の約８倍の寿命である。また、８１０ルーメンの光束を発する照明用ＬＥＤ発光体（ＬＥＤ素子を３０〜１００個程集積したもの）と蛍光灯との消費電力は照明用ＬＥＤ発光体が約６Ｗであり蛍光灯が１４Ｗであるので、照明用ＬＥＤ発光体は蛍光灯の約１／２の消費電力である。ＬＥＤ発光体を用いることにより内照式電飾看板の維持費及び修理費を削減することができる。
【考案を実施するための最良の形態】
【０００８】
本考案による実施例として壁面に取付ける内照式電飾看板１０の例を図１から図４に基づいて説明する。
図1は内照式電飾看板１０の要部拡大図である。図２は内照式電飾看板１０の構成斜視図である。図３は内照式電飾看板１０の内部に配置する光源部２０の構成斜視図である。図４は内照式電飾看板１０の実施例斜視図である。
内照式電飾看板１０は、看板ケース３０の開口部に広告部材４０を配設し、内部に光源部２０を配設したものである。
看板ケース３０の略矩形格子状骨組部３１の周囲に周側板３２を周設し、壁面側を背面板３３で塞ぐ。
周側板３２の奥行きは、骨組部３１に配置する光源部２０に干渉しない程度の薄さで良い。
周側板３２の周設により形成した周側板開口部３２ａの内側にスプリングレール３４を周設する。
周側板開口部３２ａの外側の上部と下部と各々側部とにそれぞれヒンジ３５を介し開け閉めできる枠部３６を設ける。
枠部３６は広告部材用開口部４１の枠を形成している。
なお枠部３６は図２に示すように、正面視コの字形状の側部枠３６ａの間を正面視Ｉ字形状の上部枠３６ｂと下部枠３６ｃとで繋いで枠形状に形成している。
広告を印刷したコルトンフィルムにスプリング引掛孔４０ａを備えた広告部材４０の配設は、枠部３６を開きスプリングレール３４に備えたスプリング３４ａを介し周側板開口部３２ａに配置する。
スプリング３４ａはスプリング引掛孔４０ａに引掛し、スプリング３４ａの付勢により広告部材４０を周側板開口部３２ａの中心部に配置する。
枠部３６を閉じて広告部材４０のスプリング引掛孔４０ａを目隠しする。
内照式電飾看板１０を壁面に設置する際には、壁面に配埋設した壁面設置用アンカーボルト１０ａと壁面設置用ナット１０ｂとで内照式電飾看板骨組部３１を固設する。
【０００９】
光源部２０は、複数のＬＥＤ発光体２２ｂを取り付けた基盤２２の上に反射板２３を配設してある。
反射板２３は発光体２２ｂに備えた発光体用スペーサー２２ａを介し配置して、反射板２３と基盤２２とに間隙を設ける。
そして発光体２２ｂの頭部が反射板２３に備えた貫通孔２３ａから拡散板２４側に向けて突出する。
反射板２３の上に拡散板２４を配置する際には拡散板用スペーサー２５ａで間隙を設ける。
拡散板用スペーサー２５ａで設ける間隙は、反射板２３と拡散板２４とが接触しない程度の間隙であれば良い。
そして基盤２２の裏側に絶縁フィルム２１を配置する際には絶縁フィルム用スペーサー２５ｂで間隙を設ける。
絶縁フィルム用スペーサー２５ｂで設ける間隙は、基盤２２と絶縁フィルム２１とが接触しない程度の間隙であれば良い。
絶縁フィルム２１には、図３に示すように電源孔２１ａを備えておくのが良い。
内照式電飾看板１０内部への光源部２０の配設は、光源部用ボルト２０ａと光源部用ナット２０ｂとで骨組部３１と連設する。
拡散板２４とは光拡散率と光透過率を有したアクリル系樹脂であり、拡散板２４に照射する照射角度の狭いＬＥＤ発光体２２ｂの光を拡散させ拡散板２４自体を均一に明るくする。
拡散板２４を均一に明るくすることにより、シースルー現象と明暗差ばらつきを防ぐ。
貫通孔２３ａを備えた反射板２３とは拡散反射率を有する樹脂材であり、均一に明るい拡散板２４と発光体２２ｂの照射とを反射するので内照式電飾看板１０をより明るくすることができる。
この実施例では、拡散板２４にはスリガラス調のアクリル系樹脂を使用した。
【００１０】
ＬＥＤ発光体２２ｂは蛍光灯のように熱を発生させずに効率良く電力を光にできる。拡散板２４をＬＥＤ発光体２２ｂに接触しない程度まで近づけても、拡散板２４に支障を来すこと無くシースルー現象を防ぐことと、明暗差ばらつきの無い均一の明るさを確保することと、ができる。そして、広告部材４０を光源部２０に近づけても変色等は起こらない。この実施例での内照式電飾看板１０の奥行きｄは９０ｍｍである。
また、ＬＥＤ発光体は蛍光灯に比べ寿命が約８倍長く、１／２の消費電力で発光させれるので、内照式電飾看板の維持費及び修理費を削減することができる。
【図面の簡単な説明】
【００１１】
【図１】内照式電飾看板の要部拡大図。
【図２】内照式電飾看板の構成斜視。
【図３】内照式電飾看板の内部に配置する光源部の構成斜視図。
【図４】内照式電飾看板の実施例斜視図。
【図５】従来内照式電飾看板の実施斜視図。
【符号の説明】
【００１２】
１０      内照式電飾看板
１０ａ    壁面設置用アンカーボルト
１０ｂ    壁面設置用ナット
２０      光源部
２０ａ    光源部用ボルト
２０ｂ    光源部用ナット
２１      絶縁フィルム
２１ａ    電源孔
２２      基盤
２２ａ    発光体用スペーサー
２２ｂ    発光体
２３      反射板
２３ａ    貫通孔
２４      拡散板
２５ａ    拡散板用スペーサー
２５ｂ    絶縁フィルム用スペーサー
３０      看板ケース
３１      骨組部
３２      周側板
３２ａ    周側板開口部
３３      背面板
３４      スプリングレール
３４ａ    スプリング
３５      ヒンジ
３６      枠部
３６ａ    側部枠
３６ｂ    上部枠
３６ｃ    下部枠
４０      広告部材
４０ａ    スプリング引掛孔
４１      広告部材用開口部
ｄ        奥行き
【図１】
0003111676.tif 000003
【図２】
0003111676.tif 000004
【図３】
0003111676.tif 000005
【図４】
0003111676.tif 000006
【図５】
0003111676.tif 000007